(57)【要約】  反射カバー１１０と、光源ユニット１２０と反射部材１３０とを含む灯具であって、反射カバー１１０は、拡張反射材によって形成され、楕円弧を平行移動させることによって形成された曲面であり、その内面が反射面１１２である光導出口１１４を有する。光源ユニット１２０は、反射面１１２の端部に固定され、発する主光線と反射面１１２との交点における接線と、主光線のなす角度が、１３０°〜１７０°である。反射部材１３０は、反射面１１２の端部に固定され、主光線に平行な反射壁１３２を有する。主光線は、反射カバー１１０と反射部材１３０との間に位置する。光源ユニット１２０が発する光線の一部は、反射壁１３２によって反射面１１２へ反射された後、光導出口１１４から射出され、ほかの部分の光線は反射面１１２によって反射されて光導出口１１４から射出される。
2019519876.tif 000002
【特許請求の範囲】
【請求項１】
拡散反射材によって形成され、その内面が、楕円弧を平行移動させることによって形成された曲面である反射面となり、光導出口を有する反射カバーと、
前記反射面の端部に固定され、発する主光線と前記反射面との交点における接線と、前記主光線のなす角度は１３０°〜１７０°である光源ユニットと、
前記反射面の端部に固定され、反射壁を有する反射部材と、を備える灯具であって、
前記反射壁と前記主光線とは平行であり、前記主光線が前記反射カバーと前記反射部材との間に位置し、前記光源ユニットが発する光線の一部が前記反射壁によって前記反射面へ反射され、且つ、前記反射面によって反射されて前記光導出口から射出され、ほかの部分の光線が前記反射面によって反射されてから前記光導出口から射出されることを特徴とする灯具。
【請求項２】
請求項１に記載の灯具において、
前記拡散反射材は発泡プラスチックであることを特徴とする灯具。
【請求項３】
請求項２に記載の灯具において、
前記拡散反射材は、発泡ＰＥＴ、発泡ポリカーボネートまたはスタイロフォームであることを特徴とする灯具。
【請求項４】
請求項１に記載の灯具において、
前記拡散反射材は、無発泡ポリスチレン、無発泡ポリカーボネート、無発泡ＰＥＴ、無発泡ポリテトラフルオロエチレンであることを特徴とする灯具。
【請求項５】
請求項１に記載の灯具において、
前記光源ユニットは、前記反射面の端部に固定された基板と、前記基板に固定されたＬＥＤ光源とを備え、
前記基板と前記反射面の交点における接線と、前記基板のなす角度は、１００°〜１２０°であり、
前記基板と前記主光線とが垂直であり、
前記反射部材が前記基板に固定され、前記反射壁が前記ＬＥＤ光源の近傍に設置され、前記反射壁と前記基板とが垂直であることを特徴とする灯具。
【請求項６】
請求項５に記載の灯具において、
前記基板と前記反射面との交点における接線と、前記基板のなす角は、１１４°であることを特徴とする灯具。
【請求項７】
請求項５に記載の灯具において、
前記反射カバー毎に、それぞれ前記反射面の両端に固定された２つの基板が対応しており、前記２つの基板のそれぞれが長尺状に形成され、前記基板の長手方向が前記楕円弧の平行移動方向と平行であり、前記基板毎に、該基板の長手方向に間隔を存して配列された前記ＬＥＤ光源が複数設けられていることを特徴とする灯具。
【請求項８】
請求項１に記載の灯具において、
前記楕円弧の端点における接線と、前記楕円弧の２つの端点を接続した線のなす角度は、３０°〜６０°であることを特徴とする灯具。
【請求項９】
請求項１に記載の灯具において、
前記反射カバーの光透過率は、２％〜３％であることを特徴とする灯具。
【請求項１０】
請求項１に記載の灯具において、
前記反射面は、鏡面反射率が１０％未満であることを特徴とする灯具。
【請求項１１】
請求項１に記載の灯具において、
前記反射カバーの拡散反射率は９３％以上であることを特徴とする灯具。
【請求項１２】
請求項１に記載の灯具において、
前記反射カバーに固定され、前記反射面の前記楕円弧の平行移動方向の両端にそれぞれ位置する２つのエンドカバーを備えることを特徴とする灯具。
【請求項１３】
請求項１２に記載の灯具において、
前記エンドカバーのそれぞれは、前記反射カバーに接合された固定枠と、前記固定枠の前記反射カバーから離れる側に接合されたカバープレートとを備えていることを特徴とする灯具。
【請求項１４】
請求項１２に記載の灯具において、
前記エンドカバー毎に、取付溝が設けられており、
前記反射カバーの前記光導出口に固設され、前記曲線の平行移動方向に延びる長尺状固定部材を、備え、
前記長尺状固定部材の両端のそれぞれが、前記エンドカバーの前記取付溝に収容されることによって、前記エンドカバーと前記長尺状固定部材とを接合させることを特徴とする灯具。
【請求項１５】
請求項１４に記載の灯具において、
前記長尺状固定部材の材質はアルミニウムであり、前記基板が前記長尺状固定部材に固定されていることを特徴とする灯具。
【請求項１６】
拡散反射材によって形成され、その内面が、楕円弧を平行移動させることによって形成された曲面である反射面となり、光導出口を有する反射カバーと、
前記反射面の端部に固定され、発する主光線と前記反射面のなす角度は１３０°〜１７０°である光源ユニットと、
前記反射面の端部に固定され、反射壁を有する反射部材と、を備える灯具であって、
前記反射壁と前記主光線とは平行であり、前記主光線が前記反射カバーと前記反射部材との間に位置し、前記光源ユニットが発する光線の一部が前記反射壁によって前記反射面へ反射され、且つ、前記反射面によって反射されて前記光導出口から射出され、ほかの部分の光線が前記反射面によって反射されてから前記光導出口から射出されることを特徴とする灯具。
【請求項１７】
請求項１６に記載の灯具において、
前記折り線のなす角度は、６０°〜１２０°であることを特徴とする灯具。
【請求項１８】
請求項１６に記載の灯具において、
前記光源ユニットは、基板と、前記基板に固定されたＬＥＤ光源とを備え、
前記基板と前記反射面のなす角度は、１００°〜１２０°であり、
前記ＬＥＤ光源が発する主光線と前記基板とが垂直であり、
前記反射部材が前記基板に固定され、前記反射壁が前記ＬＥＤ光源の近傍に設置され、前記反射壁と前記基板とが垂直であることを特徴とする灯具。
【請求項１９】
請求項１８に記載の灯具において、
前記基板と前記反射面のなす角度は、１１４°であることを特徴とする灯具。
【請求項２０】
請求項１８に記載の灯具において、
前記反射カバー毎に、それぞれ前記反射面の両端に固定された２つの基板が対応しており、前記２つの基板のそれぞれが長尺状に形成され、前記基板の長手方向が前記折れ線の平行移動方向と平行であり、前記基板毎に、該基板の長手方向に間隔を存して配列された前記ＬＥＤ光源が複数設けられていることを特徴とする灯具。
【発明の詳細な説明】
【技術分野】
【０００１】
本発明は、灯具に関する。
【背景技術】
【０００２】
従来のパネルランプや、オフィスにおける照明一体化灯具等は、いずれもサイド発光または直下型発光であり、光効率が低く、グレア値が高いことから、人間の肉眼では光の輝度に適応できず、視覚疲労が起こりやすいため、大量交換作業には向いていない。このため、発光効率を保ちつつ、照明の光の品質を向上し、そのグレア値を低減する必要性があった。
【発明の概要】
【０００３】
このような事情に鑑みて、グレア値を低減した灯具を提供する必要がある。
【課題を解決するための手段】
【０００４】
本発明は、拡散反射材によって形成され、その内面が、楕円弧を平行移動させることによって形成された曲面である反射面となり、光導出口を有する反射カバーと、
前記反射面の端部に固定され、発する主光線と前記反射面との交点における接線と、前記主光線のなす角度は１３０°〜１７０°である光源ユニットと、
前記反射面の端部に固定され、反射壁を有する反射部材と、を備える灯具であって、
前記反射壁と前記主光線とは平行であり、前記主光線が前記反射カバーと前記反射部材との間に位置し、前記光源ユニットが発する光線の一部が前記反射壁によって前記反射面へ反射され、且つ、前記反射面によって反射されて前記光導出口から射出され、ほかの部分の光線が前記反射面によって反射されてから前記光導出口から射出されることを特徴とする。
【０００５】
本発明の実施形態または従来技術に係る技術案をより明確に説明するために、実施形態または従来技術の記載に必要な図面について簡単に紹介する。以下に記載する図面は、本発明の一部の実施形態のものに過ぎず、当業者にとって創造的労力を要することなく、これら図面に基づいて、そのほかの実施形態の図面を得ることができるのは言うまでもない。
【図面の簡単な説明】
【０００６】
以下、本発明を実施するための最良の形態を図面に基づいて説明する。
図１は、一実施形態に係る灯具の構成を示す説明図である。
図２は、図１に示す灯具の分解図である。
図３は、図１に示す灯具の断面図である。
図４は、図３に示す灯具のＩＩ部の拡大図である。
図５は、図２に示す灯具の反射カバーの構成を示す説明図である。
図６は、図３に示す灯具のＩＩＩ部の拡大図である。
図７は、図２に示す灯具のＩ部の拡大図である。
図８は、図３に示す灯具の光線の模擬図である。
図9は、別の実施形態に係る灯具の反射カバーと、光源ユニットと反射部材とを組み付けた構成を示す説明図である。
【発明を実施するための形態】
【０００７】
以下、本発明に対する理解を容易にさせるために、本発明について図面を参照しながら、更に詳細に説明する。
【０００８】
図１〜４に示されるように、一実施形態に係る灯具１００は、反射カバー１１０と、光源ユニット１２０と、反射部材１３０とを備えている。
【０００９】
反射カバー１１０は、拡散反射材によって形成される。具体的には、反射カバー１１０によるエネルギーロスをできるだけ低減し、灯具１００に高い光効果を持たせるように、反射カバー１１０の拡散反射率は９３％以上である。
【００１０】
具体的には、拡散反射材は発泡プラスチックである。より具体的には、拡散反射材は発泡ＰＥＴ、発泡ポリカーボネートまたはスタイロフォームである。これらの材料は、高い剛性を備えるため、このまま灯具１００の構造部材として用いることによって、該構造部材が比較的高い強度を備えるようになり、且つ、構造部材としての灯具１００の重量を低減させることができる。ここで、反射カバー１１０の材料としては、例えば、日本古河電工のＭＣＰＥＴ／ＭＣＰＯＬＹＣＡ材シリーズ、または万陽光学のｗｈｉｔｅｏｐｔｉｃｓＷｈｉｔｅ９７TMシリーズ、日本帝人（株）のＴｅｉｊｉｎ Ｔｅｔｏｒｏｎ ＵＦシリーズや日本東レ（株）のＴＯＲＡＹ Ｅシリーズ、日本帝人とＴｏｒａｙ社のスタイロフォーム材であってもよい。
【００１１】
なお、拡散反射材は、上記材料に限定されるものではなく、ほかの実施形態においては、無発泡ポリスチレン、無発泡ポリカーボネート、無発泡ＰＥＴ、無発泡ポリテトラフルオロエチレンであってもよい。例えば、拡散反射材は、Ｗｈｉｔｅｏｐｔｉｃｓ社のポリスチレン反射材である。
【００１２】
ここで、反射カバー１１０の光透過率は２％〜３％である。これによって、一部の光が反射カバー１１０から透過することで、灯具１００の全体の見栄えをよくして、灯具１００がより高級そうに見える。
【００１３】
ここで、反射カバー１１０の内面が反射面１１２となる。反射面１１２は、楕円弧を平行移動させることによって形成された曲面である。また、反射カバー１１０は、光導出口１１４をさらに備えている。
【００１４】
ここで、灯具１００が発する光を分散させて、灯具１００が発する光がより均一となるように、反射カバー１１０の反射面１１２の鏡面反射率は１０％未満である。また、反射面１１２の鏡面反射率を１０％未満にすることによって、灯具１００の電球が反射面１１２から見えることを回避することができる。
【００１５】
図５を併せて参照して、灯具１００からの発光角度をより良く調整して、グレア値を低減するように、反射面１１２が位置する楕円弧の端点での接線ＡＢと、楕円弧の２つの端点ＡＣを接続した線のなす角度αは、３０°〜６０°である。
【００１６】
反射カバー１１０の反射面１１２は、上述形状に限定されるものではなく、ほかの実施形態において、反射面１１２は、折れ線を平行移動させることによって形成された曲面である場合、折れ線のなす角度は、６０°〜１２０°である。
【００１７】
図６を併せて参照して、光源ユニット１２０は、反射カバー１１０の反射面１１２が位置する楕円弧の端部に固定されている。なお、光源ユニット１２０が発する主光線ＤＥと反射面１１２との交点Ｅにおける接線ＥＦと、主光線ＤＥのなす角度βは、１３０°〜１７０°である。
【００１８】
図７を併せて参照して、光源ユニット１２０は、具体的に、基板１２２と、ＬＥＤ光源１２４とを備える。
【００１９】
基板１２２は、放熱性に優れる金属板、例えばアルミニウム板である。ここで、基板１２２は長尺状である。基板１２２は、反射カバー１１０の反射面１１２が位置する楕円弧の端部に固定されている。ここで、基板１２２と反射面１１２との交点Ｇにおける接線ＧＨと、基板１２２の幅方向ＧＯのなす角度γは、１００°〜１２０°である。また、基板１２２と反射面１１２との交点Ｇにおける接線ＧＨと、基板１２２の幅方向GOのなす角度γが１１４°であることが、より好ましい。
【００２０】
ＬＥＤ光源１２４は、基板１２２に固定されている。具体的には、ＬＥＤ光源１２４は、基板１２２に接着されている。なお、ＬＥＤ光源１２４が発する主光線ＤＥは、基板１２２に対して垂直である。
【００２１】
なお、反射カバー１１０毎に、２つの基板１２２が対応しており、該２つの基板１２２が、反射カバー１１０の反射面１１２が位置する楕円弧の両端部にそれぞれ固定されている。また、２つの基板１２２の長手方向は、いずれも楕円弧の平行移動方向と平行である。基板１２４毎に、基板１２４の長手方向に、間隔を存して配列されたＬＥＤ光源１２４が複数設けられている。
【００２２】
また、図４、図６及び図７を参照して、反射部材１３０は、反射カバー１１０の反射面１１２が位置する楕円弧の端部に固定されている。反射部材１３０は、光源ユニット１２０が発する主光線ＤＥと平行な反射壁１３２を有する。
【００２３】
図２、図６及び図８を併せて参照して、ここで、光源ユニット１２０が発する主光線ＤＥは、反射カバー１１０と反射部材１３０の間に位置し、光源ユニット１２０が発する光線のうち、一部の光線２０が反射壁１３２によって反射面１１２へ反射され、且つ、反射面１１２で反射されて、光導出口１１４から射出される。また、光源ユニット１２０が発する光線のうち、そのほかの光線２０が、反射面１１２によって反射されて、光導出口１１４から射出される。
【００２４】
より具体的には、反射部材１３０は基板１２２に固定され、反射部材１３０の反射壁１３２はＬＥＤ光源１２４の近傍に設けられ、反射壁１３２は、基板１２２に対して垂直である。
【００２５】
図２に戻って、灯具１００は、さらに、いずれも反射カバー１１０に固定された２つのエンドカバー１４０を備えている。該２つのエンドカバー１４０のそれぞれが、反射面１１２の楕円弧の平行移動方向の両端に位置する。
【００２６】
具体的には、各エンドカバー１４０は、反射カバー１１０に接合された固定枠１４２と、固定枠１４２の反射カバー１１０から離れる側に接合されたカバープレート１４４とを備えている。
【００２７】
さらに、エンドキャップ１４０の固定枠１４２に、取付溝（未図示）が設けられている。灯具１００は、さらに、長尺状固定部材１５０を有する。長尺状固定部材１５０は、反射カバー１１０の光導出口１１４に固設され、楕円弧の平行移動方向に延びている。長尺状固定部材１５０は、その両端のそれぞれが２つのエンドカバー１４０の固定枠１４２の取付溝に収容されることによって、エンドカバー１４０の固定枠１４２と長尺状固定部材１５０とを接合させる。
【００２８】
具体的には、ＬＥＤ光源１２４を放熱させるように、長尺状固定部材１５０の材質はアルミニウムであり、基板１２２が長尺状固定部材１５０に固定されている。
【００２９】
上記灯具１００は、少なくとも以下の利点を有する。
（１）上記灯具１００は、反射カバー１１０の材料として拡散反射材を用いることによって、灯具１００が発する光の強度を低減し、射出光の均一性を高めることができ、灯具１００のグレア値を効果的に低減することができる。
（２）上記灯具１００は、反射カバー１１０の材料として発泡材を用いることによって、光源ユニット１２０が発する光が反射カバー１１０によって複数回反射されることができ、灯具１００の射出光を不規則にさせることができ、灯具１００が発する光の強度をさらに低減し、射出光の均一性を高めて、灯具１００のグレアを効果的に低減することができる。
（３）前記灯具１００の反射カバー１１０の反射面１１２を、楕円弧を平行移動させることによって得られた曲面として設置し、且つ、光源ユニット１２０を、反射カバー１１０の反射面１１２が位置する楕円弧の端部に固設させることによって、光源ユニット１２０が発する主光線と反射面１１２との交点における接線と、主光線のなす角度は、１３０°〜１７０°である。また、反射部材１３０が、反射カバー１１０の反射面１１２が位置する楕円弧の端部に固設され、反射部材１３０の反射壁１３２と光源ユニット１２０が発する主光線が反射カバー１１０と反射部材１３０との間に位置し、光源ユニット１２０が発する光の一部の光線が反射壁１３２によって反射面１１２へ反射され、そして、反射面１１２によって反射されてから、光導出口１１４から射出される。ほかの部分の光線が反射面１１２によって反射されてから、光導出口１１４から射出される。これによって、大半の光線の出光角度を１２０°以内にすることができる。このため、室内の灯具１００のグレア値を、さらに低減することができ、統一グレア値（ＵｎｉｆｉｅｄＧｌａｒｅＲａｔｉｎｇ）を、１９以下にすることができる。
（４）反射カバー１１０として、発泡プラスチックを用いることで、灯具１００の重量を効果的に低減することができる。
【００３０】
図９を参照して、別の実施形態に係る灯具は、灯具１００の構成と似ており、本実施形態の反射カバー２１０の反射面２１２が折れ線を平行移行することによって形成された曲面であることのみ異なる。また、光源ユニット２２０が発する主光線２３０と反射面２１２のなす角度δが１３０°〜１７０°である。
【００３１】
このとき、光源ユニット２２０の基板２２２が、反射カバー２１０の反射面２１２が位置する折れ線の端部に固定される。また、２つの基板２２２のそれぞれが、反射カバー２１０の反射面２１２が位置する折れ線の両端に固定されており、この場合、基板２２２の長手方向は、折れ線の平行移動方向と平行である。反射部材２４０は、反射カバー２１０の反射面２１２が位置する折れ線の端部に位置し、且つ、基板２２２に固定されている。
【００３２】
具体的には、折れ線の角度εは６０°〜１２０°である。また、この場合、基板２２２と反射面２１２のなす角度θは１００°〜１２０°である。さらに、基板２２２と反射面２１２のなす角度θは１１４°であることが、より好ましい。
【００３３】
上記灯具の反射カバー２１０の反射面２１２を、折れ線を平行移動させることによって得られた曲面として設置し、且つ、光源ユニット２２０が発する主光線２３０と反射面２１２のなす角度を、１３０°〜１７０°にしながら、灯具１００の反射部材１３０のように設置することによって、大半の光線の出光角度を１２０°以内にすることができる。室内の灯具のグレア値を、さらに低減することができ、統一グレア値を１９以下にすることができる。
【００３４】
上記実施形態の各技術的特徴については、任意に組み合わせることができるが、説明を簡潔にするために、実施形態の各技術的特徴のすべての組み合わせについて説明を行わない。ただし、これらの技術的特徴の組み合わせに矛盾がない限り、本明細書の記載範囲内であると認められるべきである。
【００３５】
以上に記載した実施形態は、本発明のいくつかの実施形態を示したに過ぎない。これらの実施形態についての説明は比較に具体的かつ詳細であるが、発明の権利範囲をこれによって限定すると理解すべきではない。なお、本発明の思想を逸脱しない範囲で若干の変形や改良は当業者にとって実施しうるものであって、これらの変形や改良も本発明の保護範囲に属する。したがって、本発明の保護範囲は、添付の請求の範囲に基づいて定められるべきである。
【図１】
2019519876.tif 000003
【図２】
2019519876.tif 000004
【図３】
2019519876.tif 000005
【図４】
2019519876.tif 000006
【図５】
2019519876.tif 000007
【図６】
2019519876.tif 000008
【図７】
2019519876.tif 000009
【図８】
2019519876.tif 000010
【図９】
2019519876.tif 000011
【国際調査報告】
2019519876.tif 000012
2019519876.tif 000013
2019519876.tif 000014
2019519876.tif 000015
2019519876.tif 000016
2019519876.tif 000017